(57)【要約】【課題】コイン、磁気カード、ＩＣカード等の媒体を不要とすることで顧客精算管理のランニングコストを軽減可能とし、ゴルフ練習用ボールの貸出、精算、管理等のためのゴルフ練習場の顧客精算管理システムを提供する。【解決手段】利用者の指紋・掌紋の記録および保管を可能としたフロントＦ側のホストコンピュータＨに備えた指紋・掌紋による登録手段１と、該登録手段１によって登録した指紋・掌紋データに利用者の指紋・掌紋を照合し、認証後にボールの貸出を行う貸出場Ｐ側に備えた指紋・掌紋の認証手段２とを有してなる。登録手段１は、一定の利用期間の経過後に指紋・掌紋によって利用者の登録データを更新する更新手段３を備え、またフロントＦ側のホストコンピュータＨは、認証手段２によるボール貸出の使用履歴データに基づいて貸出サービスの追加を行うポイント加算手段４を備える。【選択図】図１
2009165726.tif 000002
【特許請求の範囲】
【請求項１】
利用者情報の記録および保管を可能としたフロント側のホストコンピュータに備えた指紋・掌紋による登録手段と、該登録手段によって登録されている指紋・掌紋データに利用者の指紋・掌紋を照合させ、認証後にボールの貸出を行う貸出場側に備えた指紋・掌紋の認証手段とを有してなることを特徴とするゴルフ練習場の顧客精算管理システム。
【請求項２】
登録手段は、一定の利用期間の経過後に指紋・掌紋によって利用者の登録データを更新させる更新手段を備えた請求項１記載のゴルフ練習場の顧客精算管理システム。
【請求項３】
フロント側のホストコンピュータは、認証手段によるボール貸出の使用履歴データに基づいて貸出サービスの追加を行うポイント加算手段を備えた請求項１または２記載のゴルフ練習場の顧客精算管理システム。
【発明の詳細な説明】
【技術分野】
【０００１】
本発明は、指紋もしくは掌紋による識別機能を備え、ゴルフ練習ボールの貸出に伴う各種サービスの付加、その管理等を行なえるようにしたゴルフ練習場の顧客精算管理システムに関する。
【背景技術】
【０００２】
従来、ゴルフ練習場における例えばゴルフ練習ボールの貸出、精算、管理等のための顧客精算管理システムとしては、コインを先渡しして前払い精算のみに使用するシステム、あるいは磁気カード、ＩＣカード等を顧客に持たせて先払いもしくは後払い精算および管理等に使用するシステム等が広く知られている。
【０００３】
このうち磁気カードを利用した管理システムとしては、特許文献１に開示されているように、磁気カードの形態を有するゴルフ練習場用のプリペイドカードの少なくとも一方の面には、会員コードおよびプリペイド料金を含む情報を書き換え可能に表示するためのリライト表示部が形成され、前記プリペイドカードの磁気記録部には、前記リライト表示部に表示された情報が記録されていると共に、このプリペイドカードを用いたゴルフ練習場の管理システムにおいて、前記プリペイドカードの提示に応答して入場手続を行うためのフロント部と、前記プリペイドカードの挿入に応答してボール貸出のためのボールベンダーとを備えているゴルフ練習場用のプリペイドカードおよび該プリペイドカードを用いたゴルフ練習場の管理システムなる技術が存在する。
【０００４】
一方、ＩＣカードを利用した管理システムとしては、例えば特許文献２に開示されているように、表示情報の書き換えが可能なリライト表示部を備えた非接触ＩＣカードの挿入によりチェックイン及びチェックアウトの受付け処理を行う受付処理部と、該受付処理部でチェックイン処理された非接触ＩＣカードの挿入によりボール貸出動作が可能となり、ボール貸出料金を算出して前記非接触ＩＣカード内のプリペイド金額情報の更新処理を行うボール貸出部と、前記受付処理部から送信された情報に基づいて管理データを更新処理するデータ管理部とを備え、前記受付処理部及び前記データ管理部と前記ボール貸出部との間をオフラインとしたゴルフ練習場管理システムなる技術が存在する。
【特許文献１】特開２００３−３０３３２３号公報
【特許文献２】特開２００５−２３７５８１号公報
【発明の開示】
【発明が解決しようとする課題】
【０００５】
しかしながら、ゴルフ練習場における従来の顧客精算管理においては、ゴルフ練習場と顧客との間に、上記したようなコイン、磁気カード、ＩＣカード等の媒体が必要とされることから、当該媒体を顧客の持ち出し等によって紛失したり、永年使用によって消耗したりして、新たな媒体を再度購入・補充しなければならない等、顧客精算管理のランニングコストの増加を招いていた。
【０００６】
そこで、本発明は叙上のような従来存した諸事情に鑑み創出されたもので、コイン、磁気カード、ＩＣカード等の媒体を不要とすることで、ゴルフ練習ボールの貸出、精算、管理等のための顧客精算管理のランニングコストを軽減できるものとしたゴルフ練習場の顧客精算管理システムを提供することを目的とする。
【課題を解決するための手段】
【０００７】
上述した課題を解決するため、本発明にあっては、利用者情報の記録および保管を可能としたフロントＦ側のホストコンピュータＨに備えた指紋・掌紋による登録手段１と、該登録手段１によって登録されている指紋・掌紋データに利用者の指紋・掌紋を照合させ、認証後にボールの貸出を行う貸出場Ｐ側に備えた指紋・掌紋の認証手段２とを有してなるものである。
登録手段１は、一定の利用期間の経過後に指紋・掌紋によって利用者の登録データを更新させる更新手段３を備えたものとすることができる。
フロントＦ側のホストコンピュータＨは、認証手段２によるボール貸出の使用履歴データに基づいて貸出サービスの追加を行うポイント加算手段４を備えたものとすることができる。
【０００８】
以上のように構成された本発明に係るゴルフ練習場の顧客精算管理システムにあって、フロントＦ側のホストコンピュータＨに備えた指紋・掌紋による登録手段１は、利用者の指紋・掌紋を記録して保管させる。これと同時に利用者側のボール貸出料金をプリペイドの前払いまたは後払いのいずれかの精算方法を選択させることで、フロントＦ側のホストコンピュータＨには登録者のプリペイド料金または後払い料金を含む種々の情報が電子情報として記録される。
また、貸出場Ｐ側に備えた指紋・掌紋の認証手段２は、利用者の指紋・掌紋を読み取ってから、この読み取り情報をフロントＦ側のホストコンピュータＨに送信させ、当該ホストコンピュータＨの登録手段１によって予め登録されている指紋・掌紋データと当該利用者の指紋・掌紋とを照合させる。
そして、データ認証後には利用者に対し貸出場Ｐにおいて所定個数のボールの貸出が行なわれると同時にボール貸出料金を当該利用者の指紋・掌紋で特定して積算させる。
更新手段３は、一定の利用期間の経過後に、指紋・掌紋により例えば利用者の氏名あるいは名称・住所・年齢・性別・会員登録する場合の会員種別等の利用者情報の登録データを更新させる。
フロントＦ側のホストコンピュータＨにおけるポイント加算手段４は、指紋・掌紋の認証手段２によるボール貸出の使用履歴データに基づいて例えば割引その他の貸出サービスの追加を行わせる。
【発明の効果】
【０００９】
本発明によれば、コイン、磁気カード、ＩＣカード等の媒体を不要とすることで、ゴルフ練習ボールの貸出、精算、管理等のための顧客精算管理のランニングコストを軽減することができる。
【００１０】
すなわちこれは本発明が、利用者情報の記録および保管を可能としたフロントＦ側のホストコンピュータＨに備えた指紋・掌紋による登録手段１と、該登録手段１によって登録されている指紋・掌紋データに利用者の指紋・掌紋を照合させ、認証後にボールの貸出を行う貸出場Ｐ側に備えた指紋・掌紋の認証手段２とを有してなるからであり、これにより、従来必要とされていたコイン、磁気カード、ＩＣカード等の媒体が不要となり、利用者の指紋・掌紋の認証のみでボールの貸出・精算・管理等が容易に行えることから、顧客精算管理のランニングコストを大きく軽減できるものとなった。
【００１１】
また、登録手段１は、一定の利用期間の経過後に、指紋・掌紋によって利用者の氏名あるいは名称・住所・年齢・性別・会員登録する場合の会員種別等の利用者情報の登録データを更新させる更新手段３を備えたので、コイン、磁気カード、ＩＣカード等の媒体がなくても利用者の指紋・掌紋によってフロントＦ側のホストコンピュータＨにおけるデータベースにおける利用者の更新登録が容易に行える。
【００１２】
フロントＦ側のホストコンピュータＨは、認証手段２によるボール貸出の使用履歴データに基づいて、例えばボール貸出数を定量数に加えて１０個から１２乃至１５個を増量したり、利用料金を割引いたりする等の貸出サービスの追加を行うポイント加算手段４を備えたので、コイン、磁気カード、ＩＣカード等の媒体がなくても指紋・掌紋の認証のみでボールの各種の貸出サービスが容易に受けられる。
【００１３】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１４】
以下、図面を参照して本発明を実施するための最良の一形態を説明する。図１において示される符号１は、ゴルフ練習場あるいはゴルフコース等において、フロントＦ側におけるホストコンピュータＨに設けられた指紋・掌紋による登録手段である。該登録手段１によって利用者の指紋・掌紋の登録と同時に利用者の氏名あるいは名称・住所・年齢・性別・会員登録する場合の会員種別等の利用者情報を情報入力画面に従って入力し、これら必要な情報がホストコンピュータＨの利用者情報データベース７に記録保管されるようにしてある。
【００１５】
また、練習場所に関連して設置されている貸出場Ｐ側には指紋・掌紋の認証手段２が設けられ、ホストコンピュータＨとオンライン接続されている。この認証手段２は、利用者が登録されている本人であることを確認すると同時に、登録された利用者に対し前払料金または後払料金を含む種々の情報の個別精算管理を行うために使用するものである。
【００１６】
すなわち、ホストコンピュータＨには、利用者が例えば入会時に会員登録した際に採取した指紋・掌紋による利用者特定認証情報を格納した認証データファイル５と、過去の遊技結果に係る使用履歴情報が格納された使用履歴データファイル６とが収納されている。この認証データファイル５の利用者特定認証情報と使用履歴データファイル６の使用履歴情報は、貸出場Ｐ側での指紋・掌紋の認証手段２により検索できるように関連づけられている。
【００１７】
また、前記利用者情報データベース７には例えば今回ポイントおよび累積ポイントとして、入会時あるいは利用のための来場時等に対応して付与されることがある、例えば来場ポイント等が記録保管され、さらに料金残高として、初回利用時に利用者が支払った前払料金から例えば会員登録料その他を減算して精算された料金が逐次記録されるようにしてある。
【００１８】
貸出場Ｐ側では、ボールベンダーＶに備えた認証手段２を使って指紋・掌紋による利用者の認証を行い、利用者が登録されている本人であることが確認されると、ボールベンダーＶから纏まった所定個数のボールが逐次提供されるものとしている。
【００１９】
具体的な指紋・掌紋の認証手段２として例えば指紋の場合は、利用者毎に異なり、全く同一のパターンが存在しないことから、光線を手指に照射すると指紋に沿った陰影が写ることを利用して取得した画像から指紋パターンを抽出し、ホストコンピュータＨの登録手段１によって予め登録した指紋パターンと照合することにより利用者特定認証とすると同時に、認証後には貸出場Ｐ側のボールベンダーＶで所定数のボールの貸出を行うことができるものとしてある。
【００２０】
また、掌の静脈パターンの場合は、胎内で確定した後は、大きさが変化する以外は一生変化せず、しかも利用者毎にパターンが異なり双子でも区別ができるという特徴を有することから、近赤外線を掌に照射すると静脈だけが黒く写ることを利用して取得した画像から静脈パターンを抽出し、ホストコンピュータＨの登録手段１によって予め登録した静脈パターンと照合することにより利用者認証とすると同時に、認証後には貸出場Ｐ側のボールベンダーＶで所定数のボールの貸出を行うことができるものとしてある。
【００２１】
フロントＦ側のホストコンピュータＨは、認証手段２によるボール貸出の使用履歴データファイル６に基づいて貸出サービスの追加を行うポイント加算手段４を備えている。すなわちポイント加算手段４は、ホストコンピュータＨの利用者情報データベース７に記録された情報、および料金テーブルに基づき、会員属性や利用日時に応じた料金・割引率を算出し、使用料金と加算ポイント数を計算すると共に、前払方式の場合においては、貸し出したボールの総数に対応する使用料金を使用前の料金残高から減算して更新された料金残高と累積ポイントとが算出され、これらの情報はホストコンピュータＨにボール貸出の使用履歴データファイル６として管理されるものとしてある。こうしてボールの貸し出し、料金残高、および累積ポイントの更新が行われる。
【００２２】
また、利用者はいったん登録すれば、以後は期間を限定せずにゴルフ練習ボールの貸出使用が可能であるようにしてある。しかし、例えば長期の未利用会員のデータを整理するため等で更新登録を必要とする場合には、例えばホストコンピュータＨの登録手段１に設けられた更新手段３によって、一定の利用期間が経過した後に、指紋・掌紋により例えば利用者の氏名あるいは名称・住所・年齢・性別・会員登録する場合の会員種別等の利用者情報の登録データを更新させるものとする。更新が行われなかった場合には、利用者の登録データが破棄されることになり、認証不可の状態となることで貸出場Ｐ側のボールベンダーＶからのボール貸出ができないようにしても良い。
【００２３】
次に、以上のように構成された最良の形態についての使用、動作の一例について図２のフロー図に基づき詳細に説明する。
【００２４】
先ず、ステップ１にて、フロントＦ側のホストコンピュータＨに備えた登録手段１によって、利用者の指紋・掌紋を予め登録しておくと同時に利用者の氏名あるいは名称・住所・年齢・性別・会員登録する場合の会員種別等の利用者情報を会員情報入力画面に従って入力し、これら必要な情報が利用者情報データベース７に記録保管される。
【００２５】
ステップ２にて、利用者側のボール貸出料金を前払式とするか後払式とするかのいずれかの精算方法を選択する。尚、この選択はゴルフ練習場あるいはゴルフコースの業者側で予め設定しておくことができ、こうすることで利用者がその精算方法を特に選択する必要はないようにしておいても良い。このとき業者側あるいは利用者が前払式を選択した場合には、フロントＦ側のホストコンピュータＨには利用登録者の前払料金を含む種々の利用者情報が電子情報として記録される。
【００２６】
ステップ３にて、貸出場Ｐ側のボールベンダーＶに備えた認証手段２によって利用者の指紋・掌紋を読み取ってから、この読み取り情報をフロントＦ側のホストコンピュータＨに送信させ、当該ホストコンピュータＨの登録手段１によって予め登録されて認証データファイル５に格納されている指紋・掌紋データと当該利用者の指紋・掌紋とを照合させる。
【００２７】
ステップ４にて、利用者の指紋・掌紋が、予め登録されている指紋・掌紋データと同一のものであるか否かを判別させ、同一のものと認証された場合には、ステップ５にて利用者に対し貸出場ＰのボールベンダーＶから所定個数のボールの貸出が行なわれる。
【００２８】
これと同時に、ステップ６にてボール貸出料金が当該利用者の指紋・掌紋で特定して積算される。このとき、貸出場ＰでボールベンダーＶからのボール貸出の追加があれば、これに相当した分のボール貸出料金が当該利用者の指紋・掌紋で特定して積算される。
【００２９】
また、ステップ７にて、貸し出したボールの総数に対応する使用料金を使用前の料金残高から減算して更新された料金残高と累積ポイントとが算出される。
【００３０】
これらの情報はホストコンピュータＨにボール貸出の使用履歴データファイル６として管理される。こうして認証手段２によるボール貸出の使用履歴データに基づいてボールの貸出サービスの追加が行われる。
【００３１】
ステップ８にて、フロントＦ側のホストコンピュータＨのポイント加算手段４により、ホストコンピュータＨの会員情報データベースに記録された各種の利用者特定情報、および料金テーブルに基づき、会員属性や利用日時に応じた料金・割引率を算出し、使用料金と加算ポイント数を精算する。
【００３２】
一方、利用者の指紋・掌紋が、予め登録されている指紋・掌紋データと一致しないものと判別した場合には、ボール貸出と精算が不能となり、未登録者としてボールの貸出は行われない。したがって、ボールの貸出を希望する者はステップ１からのフローにしたがい、フロントＦ側のホストコンピュータＨに備えた登録手段１によって、利用者の指紋・掌紋を登録すると同時に利用者の氏名あるいは名称・住所・年齢・性別・会員登録する場合の会員種別等の利用者情報を会員情報入力画面に従って入力し、これら必要な情報が利用者情報データベース７に記録保管され、ステップ２以降の動作が繰り返される。
【図面の簡単な説明】
【００３３】
【図１】本発明を実施するための最良の形態におけるシステムの構成を示すブロック図である。
【図２】同じくゴルフ練習の進行状況を説明するフロー図である。
【符号の説明】
【００３４】
Ｐ…貸出場                              Ｆ…フロント
Ｈ…ホストコンピュータ                  Ｖ…ボールベンダー
１…登録手段                            ２…認証手段
３…更新手段                            ４…ポイント加算手段
５…認証データファイル                  ６…使用履歴データファイル
７…利用者情報データベース
【図１】
2009165726.tif 000003
【図２】
2009165726.tif 000004